(57)【要約】【課題】屋内の天井照明等の光源が什器の上方周辺になくて太陽電池が受光できない場合であっても、デスクライトや液晶モニタ等の机の天板上の光源を利用して、太陽電池に確実に発電をさせることができる収納部を備える什器を提供すること。【解決手段】屋内に設置される机７０の天板７１の下方または横脇に配設され、収納部２を備える什器１において、該什器１に設けられた電気機器に電力を供給する太陽電池３を有しており、該太陽電池３は、前記収納部２の前面部に、前記太陽電池３の受光面が少なくとも前記天板７１と平行な位置まで回動自在とする回動手段７２を介して設けられている。【選択図】図１
2014090738.tif 000002
【特許請求の範囲】
【請求項１】
屋内に設置される机の天板の下方または横脇に配設され、収納部を備える什器において、該什器に設けられた電気機器に電力を供給する太陽電池を有しており、該太陽電池は、前記収納部の前面部に、前記太陽電池の受光面が少なくとも前記天板と平行な位置まで回動自在とする回動手段を介して設けられていることを特徴とする収納部を備える什器。
【請求項２】
前記回動手段は、前記太陽電池の受光面が前記天板の上方部を向く位置まで回動することを特徴とする請求項１に記載の収納部を備える什器。
【請求項３】
前記回動手段は、前記太陽電池と前記電気機器とを接続する電気配線を収納する配線収納部を有することを特徴とする請求項１または２に記載の収納部を備える什器。
【発明の詳細な説明】
【技術分野】
【０００１】
本発明は、屋内に設置される机の天板の下方または横脇に配設され、収納部を備える什器に関する。
【背景技術】
【０００２】
従来、オフィス等の屋内で使用される収納庫や什器等に備えられた電気錠（電気機器）の施錠忘れに対する自動施錠システムなどの電源として、ソーラーパネル（太陽電池）を、オフィス家具（什器）に見映えよく配置したソーラーパネル付き家具がある（例えば、特許文献１参照）。
【先行技術文献】
【特許文献】
【０００３】
【特許文献１】特開２００６−２３０７７１号公報（第３頁、第１図）
【発明の概要】
【発明が解決しようとする課題】
【０００４】
特許文献１に記載されているようなソーラーパネル（太陽電池）付き家具（什器）に関して、オフィス家具の引出し（収納部）に電気錠（電気機器）を設け、この電気錠に供給する電力を引出しに設けたソーラーパネルにより確保したいという利用者側の要望がある。しかしながら、オフィス等の屋内の照明は天井の所定位置に設置されており、該オフィス家具の上方周辺に必ずしも設置されていないので、ソーラーパネル付き家具のソーラーパネルが光を受光できず、電気錠を作動させるために十分な電力がソーラーパネルで発電されないという虞がある。
【０００５】
本発明は、このような問題点に着目してなされたもので、屋内の天井照明等の光源が什器の上方周辺になくて太陽電池が受光できない場合であっても、デスクライトや液晶モニタ等の机の天板上の光源を利用して、太陽電池に確実に発電をさせることができる収納部を備える什器を提供することを目的とする。
【課題を解決するための手段】
【０００６】
前記課題を解決するために、本発明の収納部を備える什器は、
屋内に設置される机の天板の下方または横脇に配設され、収納部を備える什器において、該什器に設けられた電気機器に電力を供給する太陽電池を有しており、該太陽電池は、前記収納部の前面部に、前記太陽電池の受光面が少なくとも前記天板と平行な位置まで回動自在とする回動手段を介して設けられていることを特徴としている。
この特徴によれば、太陽電池の受光面を机の天板と平行な位置まで回動自在とする回動手段を介して太陽電池が什器に設けられるので、屋内の天井照明が什器の周辺にない場合であっても、回動手段により机の天板と平行な位置まで太陽電池の受光面をむけることで、机の天板上の机上照明としてのデスクライトや液晶モニタ等の机上光を受光させて、太陽電池に確実に発電をさせることができる。
【０００７】
本発明の収納部を備える什器は、
前記回動手段は、前記太陽電池の受光面が前記天板の上方部を向く位置まで回動することを特徴としている。
この特徴によれば、回動手段により太陽電池の受光面が机の天板の上方部に向くように回動させることで、太陽電池の受光面をデスクライトや液晶モニタ等の机上光に向けて、太陽電池に光をより多く受光させることができる。
【０００８】
本発明の収納部を備える什器は、
前記回動手段は、前記太陽電池と前記電気機器とを接続する電気配線を収納する配線収納部を有することを特徴としている。
この特徴によれば、回動手段に形成された配線収納部に、太陽電池と前記電子機器とを接続する電気配線が収納されるので、回動される太陽電池と引出しの間に、電気配線等を設ける必要がなくなり、太陽電池を備える什器の製造及びメンテナンスが容易になるとともに、太陽電池を回動させて使用している際に電気配線が外部に露出されて切断される等の故障が生じることを防止できる。
【図面の簡単な説明】
【０００９】
【図１】（ａ）は実施例１における収納部を備える什器を示す斜視図であり、（ｂ）は同じく什器に配置された太陽電池の回動態様を示す斜視図である。
【図２】電気錠装置を備える引出しの正面図である。
【図３】太陽電池の回動態様を示す側面断面図である。
【図４】太陽電池の回動軸を示す斜視図である。
【図５】（ａ），（ｂ）は、実施例２における太陽電池の回動態様を示す側面断面図である。
【図６】実施例２における太陽電池の回動軸を示す斜視図である。
【図７】実施例３における太陽電池の回動態様を示す側面断面図である。
【図８】実施例３における太陽電池の回動軸を示す側面断面図である。
【発明を実施するための形態】
【００１０】
本発明に係る収納部を備える什器を実施するための形態を実施例に基づいて以下に説明する。
【実施例１】
【００１１】
実施例１に係る収納部を備える什器につき、図１から図４を参照して説明する。以下、図３の紙面右側を什器の正面側（前方側）として説明する。
【００１２】
図１の符号１は、オフィス等に設置される什器である。この什器１は、机７０の天板７１の下方に配置されて使用されるデスクサイドワゴンであり、上下三段の引出し２（収納部）を備えている。また、これらの引出し２には、利用者が引出し２を開閉するための取手部（図示略）が設けられている。なお、取手部は、ラッチ機構（図示略）と連係されており、ラッチ機構により引出し２が不用意に開放されないようになっているとともに、利用者により取手部が把持されることでラッチ機構が解除されて引出し２が開放可能になるようになっている。また、什器１の底面には、四隅にキャスタ（図示略）が設けられており、利用者が什器１を任意に移動させ、例えば机の下方や横脇等に配置できるようになっている。なお、什器１は、机と一体に形成されていてもよく、机として利用される天板を備えていてもよい。
【００１３】
また、図３に示すように、最上段の引出し２には電気錠装置８が備えられており、この電気錠装置８は、引出し２の施解錠を行う施解錠駆動部６と、施解錠の認証を行う認証装置４（電気機器）と、太陽光や屋内の天井照明、机７０上の机上照明としてのデスクライトＳ等の机上光Ｋ１を利用して電力を発電する太陽電池３と、利用者が施解錠駆動部６を操作するための摘み部７とを有している。
【００１４】
施解錠駆動部６は、引出し２の前面板１１の裏側に内蔵されており、摘み部７により操作される。また、この施解錠駆動部６は、認証装置４と連動されており、認証装置４により認証が許可された利用者によって解錠を行うことができる。そして、認証装置４により認証が許可されると、施解錠駆動部６の動作部材１３が解除方向（右方向）に移動可能になり、利用者の摘み部７の操作によって動作部材１３が解除方向に移動されて、動作部材１３の先端部が什器１の側板１６の受け座（図示略）から脱して、引出し２が開放可能になる。
【００１５】
また、認証装置４は、利用者が暗証番号を入力するためのテンキー９と、認証が許可されたか否かを表示するＬＥＤ表示灯１０と、これらが接続された制御部（図示略）とを備えている。そして、テンキー９とＬＥＤ表示灯１０は、引出し２の前面板１１の前面（正面）に設けられている。
【００１６】
また、認証装置４は、太陽電池３から供給される電力により稼働されるようになっている。さらに、認証装置４の制御部（図示略）には、太陽電池３にて発電された電力を蓄えるバッテリ（図示略）が設けられている。なお、認証装置４は、電気回路の作動を行うのみで、物理的な機械の動作を行わないようにされているため、室内灯などの微弱な光を用いて太陽電池３により発電される微量な電力であっても、充分に作動されるようになっている。また、認証装置４は、施解錠駆動部６と連動されており、認証装置４により認証が許可された利用者のみが解錠できるようになっている。
【００１７】
また、図３に示すように、太陽電池３は、引出し２の前面板１１に対して左右水平方向に延びた軸回りに１８０度回動可能なヒンジ部７２を介して、引出し２の前面板１１に配設されている配置部材７３上に配置されている。
【００１８】
さらに、図４に示すように、ヒンジ部７２は、長方形の板状に形成された配置部材７３の上方の長辺部の左右端に形成された軸受け部７４と什器１の引出しの前面板の上部に固定された軸受け部材７５と、軸受け部７４と軸受け部材７５とに支持され中空に形成された棒状のシャフト７６により構成されている。そして、軸受け部材７５と軸受け部７４とにシャフト７６がその径方向に摺動可能に挿入されることで、シャフト７６の中心軸を本発明の回動軸線として太陽電池３が回動可能になる。
【００１９】
また、引出し２の前面板１１に固定された軸受け部材７５には、引出し２の内部に貫通する貫通孔７７が設けられている。中空状のシャフト７６の内部と貫通孔７７を介して電気配線７８が引出し内部に導かれて認証装置４に接続される。すなわち、シャフト７６の中空部分が本発明の太陽電池と電気機器とを接続する電気配線を収納する配線収納部を構成する。
【００２０】
また、ヒンジ部７２の下方の前面板１１には、側面視で直角三角形をなし、その斜辺が太陽電池３の配置部材７３の底面に接触されるように形成された支持部７９が設けられている。この支持部７９は本発明の支持部を構成しており、太陽電池３の受光面が少なくとも什器１の前上方に向けた状態で支持され、この状態では例えば屋内の天井照明光を採り入れ易くなっている。なお、支持部７９は前面板１１から突出するように形成された１本または複数の棒状の部材でも、板状に形成された部材で構成されてもよいし、あるいは、太陽電池３の受光面が什器１の前上方に向けた状態で支持されるように、ヒンジ部に回動を所定角度で規制する規制部を設けても構わない。
【００２１】
このように、太陽電池の受光面を机の天板と平行な位置まで回動自在とする回動手段を介して太陽電池３が什器に設けられるので、屋内の天井光Ｋ２が什器１の周辺にない場合であっても、ヒンジ部７２（回動手段）により机７０の天板７１と平行な位置まで太陽電池３の受光面を向けることで、机７０の天板上のデスクライトや液晶モニタ等の机上光Ｋ１を受光させて、太陽電池３に確実に発電をさせることができる。
【００２２】
また、ヒンジ部７２（回動手段）により太陽電池３の受光面が机７０の天板７１の上方部に向くように回動させることで、太陽電池３の受光面を机上照明としてのデスクライトＳや液晶モニタ等の机上光Ｋ１に向けて、太陽電池３に光をより多く受光させることができる。
【００２３】
また、ヒンジ部７２（回動手段）に形成された空間（配線収納部）に、太陽電池３と認証装置４（電気機器）とを接続する電気配線７８が収納されるので、回動される太陽電池３と引出しの間に、電気配線等を設ける必要がなくなり、太陽電池３を有する引出し２（収納部）を備える什器１の製造及びメンテナンスが容易になるとともに、太陽電池３を回動させて使用している際に電気配線７８が外部に露出されて切断される等の故障が生じることを防止できる。
【００２４】
また、ヒンジ部７２（回動手段）により水平に延びる回動軸線を中心にして太陽電池３の受光面を回動させることで、デスクライトや液晶モニタ等が机７０の天板７１の奥方に置かれている場合であっても、什器１の上後方に太陽電池３の受光面を向けることで、太陽電池に机７０の上の机上光Ｋ１から発せられる光を、より多く受光させて発電をさせることができる。
【００２５】
また、支持部７９によって太陽電池３の受光面が什器１の前上方に向けられた状態で支持されるので、什器１の上方周辺に屋内の天井照明等の光源がある場合には、太陽電池に屋内の天井光Ｋ２を効率的に受光させることができる。
【００２６】
さらに、引出し２の前面板１１に中空状のヒンジ部７２を介して太陽電池３を設けることで、スライド移動される引出し２と什器１の他の部位との間に、太陽電池３から認証装置４に電力を供給する配線等を設ける必要がなくなり、認証装置４を内蔵した引出し２を備える什器１の製造及びメンテナンスが容易になるとともに、太陽電池３の受光面を引出し２の前面板１１の前面から回動させて、机７０の天板７１の上方部さらには什器１の後方に向けて、机７０の天板上、特に奥方に設置された照明機器から照射される机上光Ｋ１を受光し易くすることができる。
【００２７】
また、屋内の天井や机上に設置された照明機器から照射される光は、深い角度で什器１に向かって入射されるが、回動手段により太陽電池３の受光面を回動可能にすることで、天井光Ｋ２や机上光Ｋ１の入射方向を太陽電池３の受光面に対して垂直に近づけることができ、天井光Ｋ２や机上光Ｋ１を用いて太陽電池３が効率的に発電を行うことができる。
【００２８】
なお、窓から室内に太陽光が入射された場合、この入射される太陽光は、屋内の天井に設置された照明機器から照射される天井光Ｋ２と比較して、浅い角度で什器１に向かって入射される場合が多く、この太陽光が什器１の前面板１１に設けられた太陽電池３の受光面により反射されて什器１の正面側にいる事務員の目線や事務作業を行う机上に入射されて事務作業の邪魔になることがある。しかしながら、本実施例における什器１では、この太陽光が什器１の前面板１１に設けられた太陽電池３の受光面により反射されても、太陽電池３の受光面を前面板１１から上方または側方の任意の方向に向けられることで、反射された太陽光が、什器１の正面側に着席している事務員の目線や事務作業を行う机上に入射され難くなり、反射された太陽光が、事務員の事務作業の邪魔になることを防ぐことができる。
【実施例２】
【００２９】
次に、実施例２に係る什器１の太陽電池３につき、図５および図６を参照して説明する。尚、前記実施例と同一構成部分に付いては同一符号を付して重複する説明を省略する。以下、図６の紙面右側を什器の正面側（前方側）として説明する。
【００３０】
図５に示すように、本実施例の太陽電池３は、側面視で底面が円弧凸形状を成すスライド移動可能な配置部材８０の上面に配設されている。この配置部材８０は、正面視で太陽電池３とほぼ等しい大きさの長方形に形成されているとともに、側面視で略９０度の円弧凸形状の底面を有している。また、配置部材８０の底面には、円弧凸形状の底面の周方向に形成された直線状の係合孔８１が平行に２つ形成されている。さらに、配置部材８０の内部は空洞になっており、太陽電池３から電気錠装置８の認証装置４に電力を供給するための電気配線７８の一部を収納できるようになっている。
【００３１】
また、引出し２の前面板１１の上部は、前板面と天板面との交差線を中心にして円弧状に切り欠かれたように凹形状に加工されており、円弧状の湾曲面を有し配置部材８０が配置される基台部８２が設けられている。引出し２側の基台部８２の上面には、配置部材８０の係合孔８１に対応する位置に、配置部材８０の係合孔８１に係合され棒状に突出形成された係合棒８３が２つ設けられている。この係合棒８３は、係合孔８１に沿って摺動可能になっており、前板面と天板面との仮想の交差線９６を回動軸線として配置部材８０が回動される。係合棒８３と係合孔８１により本発明の回動手段が構成される。
【００３２】
また、２つの係合棒８３の一方には、その上面から引出し２の内部にかけて貫通する貫通孔８４が設けられている。この貫通孔８４を介して配置部材８０の太陽電池３から引出し２内部の認証装置４に電力を供給する電気配線７８を導くことができるようになっている。
【００３３】
なお、配置部材８０の係合孔８１と基台部８２の係合棒８３との接触面に、導電体をそれぞれ配置して、この導電体を端子として、太陽電池３から認証装置４に電力が供給されるように構成してもよい。このようにすることで、配置部材８０と基台部８２との間の電気配線を省略でき、配置部材８０のスライド移動により電気配線が切れて故障を生じることを防止できる。
【００３４】
これにより、太陽電池３が配置された配置部材８０を、什器１の前板面と天板面との交差部を水平な回動軸線９６として円弧状に什器１の手前側にスライド移動させて、太陽電池３の受光面を什器１の後方に向けて回動できるので、什器１が机７０の天板７１の下方や横脇に配置使用されて、天井側の照明機器の天井光Ｋ２を受光できない場合であっても、机７０の上に置かれた机上照明としてのデスクライトＳや液晶ディスプレイなどに太陽電池３の受光面を向けて、デスクライトＳ等を光源として用いて太陽電池３で効率的に発電を行うことができる。
【００３５】
また、配置部材８０をスライドさせずに基台部８２内に収納した場合には、基台部８２により、太陽電池３の受光面が少なくとも什器１の前上方に向けられた状態で支持され、本発明の支持部が構成されるので、什器１の上方周辺に屋内の天井照明等の光源がある場合には、支持部により太陽電池３の受光面を什器１の前上方に向けておくことで、太陽電池３に屋内の天井光Ｋ２を効率的に受光させることができる。
【実施例３】
【００３６】
次に、実施例３に係る什器１の太陽電池３につき、図７および図８を参照して説明する。尚、前記実施例と同一構成部分に付いては同一符号を付して重複する説明を省略する。以下、図７の紙面右側を什器の正面側（前方側）として説明する。
【００３７】
図７に示すように、本実施例のヒンジ部８５は、什器１の引出し２の前面板１１の上部に軸方向に離間して固定された２つの軸受け部材８６と、これ等の軸受け部材８６，８６の間に配置され中空状に形成されるとともに互いに連通した長い長管部８７と短い短管部８８によりＴ字状に形成されたＴ字管８９と、配置部材９２の上方の長辺の中央部に形成された軸受け孔９３と、２つの軸受け部８６，８６にそれぞれ支持され中空状に形成された棒状の第１シャフト９０，９０と、Ｔ字管８９の短管部８８と軸受け孔９３とに支持される中空状の第２シャフト９１とにより構成されている。なお、短管部８８および第２シャフト９１は、机７０の天板７１の高さに応じて太陽電池３の受光面の高さを適宜調整できるように、伸縮自在に構成されてもよい。
【００３８】
そして、２つの軸受け部材８６，８６とＴ字管８９の長管部８７の内部に第１シャフト９０，９０が周方向に摺動可能に挿入されるとともに、軸受け孔９３とＴ字管８９の短管部８８とに架けて第２シャフト９１が周方向に摺動可能に挿入される。これにより、太陽電池３が、第１シャフト９０の中心を本発明の水平な回動軸として回動可能になるとともに、第２シャフト９１の中心を本発明の第２の回動軸線として回動可能になる。
【００３９】
また、Ｔ字管８９の短管部８８と長管部８７の接合部には、これらの内部空間が連通するように連通部９４が形成されている。さらに、引出し２の前面板１１および前面板１１に固定された軸受け部材８６には、引出し２の内部に貫通する貫通孔７７が設けられている。そして、中空状の第１および第２シャフト９０、９１の内部と貫通孔７７を介して電気配線７８が引出し２の内部に導かれて認証装置４に接続される。すなわち、第１および第２シャフト９０、９１の中空部分が本発明の太陽電池と電気機器とを接続する電気配線を収納する配線収納部を構成する。
【００４０】
また、ヒンジ部８５の下方側には、側面視で直角三角形をなし、その斜辺が太陽電池３の配置部材９２の底面に接触されるように形成された支持部７９が設けられており、この支持部７９は本発明の支持部を構成しており、太陽電池３の受光面が少なくとも什器１の前上方に向けた状態で支持される。なお、支持部７９は前面板１１から突出するように形成された１本または複数の棒状の部材でも、板状に形成された部材で構成されても構わない。
【００４１】
このようにすることで、ヒンジ部８５によって、太陽電池３は、引出し２の前面板１１に互いに直交する第１、第２回動軸線Ｌ１，Ｌ２を中心として回動可能に連結される。第１回動軸線Ｌ１は、前面板１１と平行であり、前面板１１の左右方向に延びている。また、第２回動軸線Ｌ２は、第１回動軸線Ｌ１と直交するように配置されている。なお、第２回動軸線Ｌ２は、第１回動軸線Ｌ１と交差する方向に延びている限り、第１回動軸線Ｌ１から離して配置してもよい。また、第２回動軸線Ｌ２は、第１回動軸線Ｌ１と所定の角度で交差するようにしてもよい。
【００４２】
これにより、第２の回動軸線を中心にして、太陽電池３の受光面が机の天板の側方にも向けられることで、デスクライトや液晶モニタ等の光源が什器１とは反対側の天板上にある場合であっても、回動手段により光源に対して太陽電池３の受光面を向けて、太陽電池３に机上光Ｋ１をより多く受光させて発電をさせることができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、引出し２に設けられた認証装置４の電源として太陽電池３を用いているが、太陽電池３にて発電した電力を施解錠駆動部６にも供給して、認証装置４および施解錠駆動部６の双方の電力を太陽電池３の発電で賄うようにしてもよい。
【００４５】
また、前記実施例では、平面状の太陽電池３を用いているが、太陽電池３の受光面が凹状または凸状に湾曲された太陽電池を用いてもよい。このようにすることで、太陽電池３が前面板１１から大きく前方に突出されずに、その受光面の面積を拡大することができ、天井光Ｋ２や机上光Ｋ１を用いて太陽電池が効率的に発電を行うことができる。
【００４６】
また、前記実施例では、太陽電池３の受光面を引出し２の前面板１１に対して９０度以上回動可能に構成しているが、太陽電池３の受光面を机の天板面と平行になるように回動させる、すなわち、前面板１１に対して９０度まで回動可能に構成してもよい。これにより、机上の光源から広がる机上光Ｋ１を太陽電池３が効率的に受光することができる。
【００４７】
また、前記実施例では、太陽電池３を引出し２の前面板１１にヒンジ部７２、８５を介して固定しているが、太陽電池３が什器１の収納部の前面部に配置される限り、例えば、ヒンジ部を什器１の側面板９５などの引出し２の前面板１１以外の所定部材に固定するようにしてもよい。
【符号の説明】
【００４８】
１                什器
２                引出し
３                太陽電池
４                認証装置
６                施解錠駆動部
７                摘み部
８                電気錠装置
９                テンキー
１０              ＬＥＤ表示灯
１１              前面板
１３              動作部材
１６              側板
７０              机
７１              天板
７２              ヒンジ部
７３              配置部材
７４              軸受け部
７５              軸受け部材
７６              シャフト
７７              貫通孔
７８              電気配線
７９              支持部
８０              配置部材
８１              係合孔
８２              基台部
８３              係合棒
８４              貫通孔
８５              ヒンジ部
８６              軸受け部材
８７              長管部
８８              短管部
８９              Ｔ字管
９０              第１シャフト
９１              第２シャフト
９２              配置部材
９３              軸受け孔
９４              連通部
９５              側面板
９６              回動軸線
Ｓ                デスクライト
Ｋ１              机上光
Ｋ２              天井光
【図１】
2014090738.tif 000003
【図２】
2014090738.tif 000004
【図３】
2014090738.tif 000005
【図４】
2014090738.tif 000006
【図５】
2014090738.tif 000007
【図６】
2014090738.tif 000008
【図７】
2014090738.tif 000009
【図８】
2014090738.tif 000010